(57)【特許請求の範囲】
【請求項１】
サッシ枠と、サッシ枠内をスライド移動可能に設けた障子とを備え、障子は、戸先框の室内側に障子の開閉方向にスライド可能に設けた引き手と、戸先框内に設けた戸先錠を有し、引き手は、常時室内側に露出しているものであって、障子開方向にスライドしたときに戸先框から内周側に突出し、障子閉方向にスライドしたときに戸先框と面一になるように設けてあり、戸先錠は、引き手が障子開方向にスライドしたときに解錠され、引き手が障子閉方向にスライドしたときに施錠されることを特徴とするサッシ。
【請求項２】
サッシ枠と、サッシ枠内をスライド移動可能に設けた障子とを備え、障子は、戸先框の室内側に障子の開閉方向にスライド可能に設けた戸先側引き手と、召し合わせ框の室内側に障子の開閉方向にスライド可能に設けた召し合わせ側引き手と、戸先框内に設けた戸先錠を有し、戸先側引き手と召し合わせ側引き手とが連動するように設けてあり、戸先錠は、両引き手が障子開方向にスライドしたときに解錠され、両引き手が障子閉方向にスライドしたときに施錠されることを特徴とするサッシ。
【請求項３】
戸先側引き手と召し合わせ側引き手とが、横框内に設けた連動部材により連結してあることを特徴とする請求項２記載のサッシ。
【発明の詳細な説明】
【技術分野】
【０００１】
本発明は、障子を開閉する一連の動作で障子の施解錠を行うことができるサッシに関する。
【背景技術】
【０００２】
従来の引き違いサッシは、内障子と外障子の召し合わせ部に設けたクレセントにより障子を施錠しており、障子の開閉操作とは別にクレセントの施解錠操作を行わなければならないため面倒であり、また障子を閉めた後に施錠を忘れることもあった。さらに、クレセントが召し合わせ框の横に飛び出ているため、意匠上及び防犯上も好ましくない。
【０００３】
特許文献１には、戸先框に引手が室内側に突出して設けてあり、引手は基端部を支点として引戸の開閉方向に回転可能に設けてあり、引戸の開方向に引手を引っ張ると、引手が回転するのに連動して戸先框と竪枠間に設けた戸先錠が解錠され、引戸を閉めると戸先錠が施錠されるようにしたものが開示されている。このサッシでは、引手が室内側に大きく出っ張ることになって目障りであり、また引戸の戸先から戸先錠の係止金具が突き出ているため、係止金具に指や衣服が引っ掛かるおそれがある。また従来のサッシでは、内障子を開ける際、クレセントが召し合わせ框に付いている関係で、召し合わせ框に手を掛けて内障子を開ける癖がついているが、このサッシでは召し合わせ框側で錠を解錠することができず不便である。
【０００４】
特許文献２には、戸先框に把手を戸先框の内周側から出没可能に設けると共に、把手の出没に連動して戸先框に内蔵した錠装置の施解錠操作が行われるようにしたものが記載されている。このサッシでは、障子が閉鎖・施錠された状態で把手が戸先框内に没しており、障子を開ける際にはスイッチ１５をスライド操作して把手を飛び出させなければならず、急いで障子を開けようとしたときに手間取ったり、子供やお年寄りにあっては障子の開け方が分らないことも予想される。また、障子を閉めてから施錠する際には把手を戸先框内に押し込む必要があるが、このとき把手と戸先框の間に指を挟むおそれがあり、これを防止するためにスイッチ１５とは別にロック手段１９を設け、ロック手段１９を操作しながらでないと把手が押し込めない構造としている。このように、把手を戸先框に収納できる構造にすると意匠性は良くなるが、障子の開閉及び施解錠操作の操作性が低下する。また、特許文献１のものと同じく、召し合わせ框側での錠の施解錠操作ができない。
【先行技術文献】
【特許文献】
【０００５】
【特許文献１】特開２０００−５４７１２公報
【特許文献２】特開２００６−１２５１７９号公報
【発明の概要】
【発明が解決しようとする課題】
【０００６】
本発明は以上に述べた実情に鑑み、障子を開閉する一連の動作で障子の施解錠を行うことができ、意匠性も良好なサッシの提供を目的とする。
【課題を解決するための手段】
【０００７】
上記の課題を達成するために請求項１記載の発明によるサッシは、サッシ枠と、サッシ枠内をスライド移動可能に設けた障子とを備え、障子は、戸先框の室内側に障子の開閉方向にスライド可能に設けた引き手と、戸先框内に設けた戸先錠を有し、引き手は、常時室内側に露出しているものであって、障子開方向にスライドしたときに戸先框から内周側に突出し、障子閉方向にスライドしたときに戸先框と面一になるように設けてあり、戸先錠は、引き手が障子開方向にスライドしたときに解錠され、引き手が障子閉方向にスライドしたときに施錠されることを特徴とする。
【０００８】
請求項２記載の発明によるサッシは、サッシ枠と、サッシ枠内をスライド移動可能に設けた障子とを備え、障子は、戸先框の室内側に障子の開閉方向にスライド可能に設けた戸先側引き手と、召し合わせ框の室内側に障子の開閉方向にスライド可能に設けた召し合わせ側引き手と、戸先框内に設けた戸先錠を有し、戸先側引き手と召し合わせ側引き手とが連動するように設けてあり、戸先錠は、両引き手が障子開方向にスライドしたときに解錠され、両引き手が障子閉方向にスライドしたときに施錠されることを特徴とする。
【０００９】
請求項３記載の発明によるサッシは、請求項２記載の発明の構成に加え、戸先側引き手と召し合わせ側引き手とが、横框内に設けた連動部材により連結してあることを特徴とする。
【発明の効果】
【００１０】
請求項１記載の発明によるサッシは、戸先框の室内側に引き手が障子の開閉方向にスライド可能に設けてあり、戸先框内に戸先錠が設けてあり、引き手は常時室内側に露出しており、引き手が障子開方向にスライドしたときに戸先錠が解錠され、引き手が障子閉方向にスライドしたときに戸先錠が施錠されるようにしたので、引き手に手を掛けて障子を開閉するだけで戸先錠が自動的に施解錠されるため、操作性が良い。しかも障子を閉鎖・施錠した状態では、引き手が戸先框と面一になるため、意匠性も向上できる。召し合わせ框にクレセントが不要になるため、防犯性及び意匠性を向上できる。
【００１１】
請求項２記載の発明によるサッシは、戸先框の室内側に戸先側引き手が、召し合わせ框の室内側に召し合わせ側引き手が、それぞれ障子の開閉方向にスライド可能に且つ連動するように設けてあり、戸先框内に戸先錠が設けてあり、両引き手が障子開方向にスライドしたときに戸先錠が解錠され、両引き手が障子閉方向にスライドしたときに戸先錠が施錠されるようにしたので、戸先側引き手と召し合せ側引き手のどちらでも障子を開閉できると共に、どちらの引き手を利用した場合でも障子を開閉する一連の動作で戸先錠の施解錠がなされるため、操作性をより一層向上できる。召し合わせ框にクレセントが不要になるため、防犯性及び意匠性を向上できる。
【００１２】
請求項３記載の発明によるサッシは、戸先側引き手と召し合わせ側手とを横框内に設けた連動部材で連結したので、連動部材が露出せず、意匠性を向上できる。
【図面の簡単な説明】
【００１３】
【図１】本発明のサッシの第１実施形態を示す室内側正面図である。
【図２】図１のＡ−Ａ断面図である。
【図３】図１のＢ−Ｂ断面図である。
【図４】図１のＣ−Ｃ断面図である。
【図５】内障子に設けられる引き手の構成を示す斜視図である。
【図６】戸先錠の動作を示す縦断面図であって、（ａ）は障子が開いているときの状態、（ｂ）は障子が閉鎖し且つ施錠される前の状態、（ｃ）は障子が閉鎖し且つ施錠された状態を示している。
【図７】本発明のサッシの第２実施形態を示す横断面図である。
【図８】第２実施形態における引き手の設置状態を示す斜視図であって、（ａ）は戸先錠が施錠されているときの引き手の状態、（ｂ）は戸先錠が解錠されたときの引き手の状態を示している。
【発明を実施するための形態】
【００１４】
以下、本発明の実施の形態を図面に基づいて説明する。図１〜図４は、本発明のサッシの第１実施形態（請求項２及び請求項３記載の発明のサッシの実施形態）を示している。本サッシは、いわゆるテラス窓タイプの引き違いサッシであり、サッシ枠１と、サッシ枠１内を左右方向にスライド可能に設けた内障子２、外障子３及び網戸４とを備えている。サッシ枠１は、上枠５と下枠６と左右の竪枠７ａ，７ｂとを四周枠組みして構成されている。
【００１５】
内障子２は、上框８と下框９と戸先框１０と召し合わせ框１１とを四周框組みし、その内部にガラスパネル１２を嵌め込んで構成されている。戸先框１０は、図１，４に示すように、室内側面に内障子２を開閉操作するための戸先側引き手１３を有し、戸先框１０内の中空部１０ａには戸先錠１４が設けてある。戸先側引き手１３は、アングル材を用いて形成したものであり、戸先框１０のほぼ全長に亘る長さを有し、スライドレール３７を介して内障子２の開閉方向（左右方向）にスライド可能に取付けてある。戸先側引き手１３には、長手方向の中間部に戸先錠１４を動作させるための動作軸１５が室外側に突出して設けてある。
戸先錠１４は、戸先側引き手１３のスライドに連動して施解錠がなされるものであり、図４中に実線で示すように、戸先側引き手１３が内障子２の閉方向（室内側から見て右方向）にスライドした状態のときに、戸先框１０の戸先側に開口した凹部１０ｂ内に突出する鎌１６が、竪枠７ｂ内周側面に設けた錠受け１７に係止して内障子２を施錠し、図４中に二点鎖線で示すように、戸先側引き手１３が内障子２の開方向（室内側から見て左方向）にスライドしたときに、鎌１６が錠受け１７から外れるようになっている。なお、戸先錠１４の詳しい構造については後述する。
【００１６】
召し合わせ框１１は、図１，４に示すように、中空部１１ａ内に角パイプを用いてなる引き手取付部材１８が上下方向に設けてあり、引き手取付部材１８の中間部に召し合わせ側引き手１９が室内側に突出して設けてある。召し合わせ框１１の室内側にはカバー材２０が取付けてある。
【００１７】
上框８と下框９は、図３に示すように、上下方向の中間に中空部８ａ，９ａをそれぞれ有しており、中空部８ａ，９ａに挿通して連動部材２１ａ，２１ｂがそれぞれ設けてある。図３，５に示すように、連動部材２１ａ，２１ｂの戸先側端部は、戸先框１０の室内側面に設けた戸先側引き手１３の上端部と下端部とにネジ２２で連結してあり、また図２，５に示すように、連動部材２１ａ，２１ｂの召し合わせ側端部は、略Ｌ形の連結金具２３ａ，２３ｂを介して、召し合わせ框１１の中空部１１ａ内に設けた引き手取付部材１８の上端部と下端部とに連結してある。このように連動部材２１ａ，２１ｂで連結してあることで、戸先側引き手１３と召し合わせ側引き手１９とが連動してスライドするようになっており、一方の引き手をスライドさせると他方の引き手も同じ方向にスライドする。下框９内に配置した連動部材２１ｂは、図３に示すように、ソロバン車２４で下框９の長手方向に摺動自在に支持されており、これにより引き手１３，１９が軽くスライドできるようになっている。
【００１８】
戸先錠１４は、図６に示すように、戸先框１０の中空部１０ａ内に埋め込んで固定されるケース２５と、ケース２５に基部を収納して上下スライド可能に設けた鎌１６と、バネ２６で付勢してケース２５の戸先側から出没可能に設けたトリガー２７と、戸先側引き手１３の動きを鎌１６に伝える連動板２８とを備えている。連動板２８は、室内外方向の軸２９により回動自在に支持してあり、二股状に分かれた一方のアーム２８ａに形成した長孔３０ａに戸先側引き手１３に固定した動作軸１５が挿入され、他方のアーム２８ｂに形成した長孔３０ｂに鎌１６に固定した軸３１が挿入されている。鎌１６は、バネ３２により下向きに付勢されており、鎌１６の上部にはトリガー２７の根元部に形成された突起３３が係脱する係止部３４が設けてある。
【００１９】
内障子２が開いた状態では、図６（ａ）に示すように、戸先側引き手１３は内障子２の開方向にスライドした位置にあり、トリガー２７はバネ２６によりケース２５から突出しており、トリガー２７の突起３３に係止部３４が係止することで鎌１６が上方位置に保持されると共に、戸先側引き手１３が内障子の閉方向にスライドしようとするのを規制している。戸先側引き手１３に手を掛けて内障子２を閉めると、図６（ｂ）に示すように、トリガー２７が錠受け１７の表面に当接することでケース２５内に引っ込み、それに伴って突起３３が鎌１６の係止部３４から外れる。その後さらに戸先側引き手１３を内障子２の閉方向に動かすことで、図６（ｃ）に示すように、連動板２８が軸２９を支点として時計回りに回動し、それに伴って鎌１６が下方にスライドして錠受け１７に係止し、内障子２が施錠される。内障子２を開ける際は、図６（ｃ）の状態で戸先側引き手１３に手を掛けて左方向に動かせば、該引き手１３のスライドにより連動板２８が反時計方向に回動され、それに伴って鎌１６が押し上げられて錠受け１７から外れ、その後、戸先框１０が竪枠７ｂから離れることでトリガー２７が突出し、図６（ａ）に示すようにトリガー２７の突起３３に係止部３４が係止することで鎌１６が上方位置に保持される。
なおここでは、戸先側引き手１３を操作して内障子２を開閉する場合について述べたが、戸先側引き手１３と召し合わせ側引き手１９とは連動してスライドするため、召し合わせ側引き手１９を操作しても、同じように内障子２の開閉及び施解錠が行える。
【００２０】
外障子３は、内障子２と同様に、上框８と下框９と戸先框１０と召し合わせ框１１とを四周框組みし、その内部にガラスパネル１２を嵌め込んで構成され、戸先框１０の室内側に戸先側引き手１３を外障子３の開閉方向（左右方向）にスライド可能に備え、戸先框１０の内部に前記引き手１３のスライドに連動して施解錠がなされる戸先錠１４を設けてある。外障子３は、召し合わせ框１１に手を掛けて開閉することがないので、召し合わせ側引き手１９及び連動部材２１ａ，２１ｂを設けていない。
【００２１】
以上に述べたように本サッシは、引き手１３，１９に手を掛けて普通に開閉するだけで、戸先錠１４の施解錠が自動的になされ、施解錠操作を別途行う必要がないため、障子２，３の開閉と施解錠が簡単に行え、施錠を忘れる心配もない。戸先錠１４にトリガー２７を有していることで、障子２，３が開いた状態では鎌１６が下りないため、戸先錠１４の空掛け、締め出しを防止できる。さらに内障子２には、戸先側引き手１３に加えて召し合わせ框１１にも引き手１９が設けてあり、両引き手１３，１９を上框８と下框９に内蔵した連動部材２１ａ，２１ｂにより連結し、連動してスライドするようにしたので、戸先側引き手１３と召し合わせ側引き手１９のどちらを操作しても内障子２の開閉及び戸先錠１４の施解錠を行うことができ、利便性を一層向上させている。召し合わせ框１１のクレセントが不要なため、意匠性及び防犯性を向上できる。
さらに本サッシは、戸先側引き手１３が戸先框１０の略全長に亘って設けてあるため、背の高さに関係なく誰にでも容易に障子２，３の開閉と施解錠が行え、また同引き手１３の室内側への突出長さを小さくできるので、引き手１３が邪魔にならず意匠性も良い。また、戸先錠１４の鎌１６が戸先框１０よりも戸先側に飛び出ることがないので、鎌１６に指や衣服等が引っ掛かるのを防止できる。
【００２２】
図７，８は、本発明のサッシの第２実施形態（請求項１記載の発明のサッシの実施形態）を示している。戸先框１０は、室内側の内周側に手掛け部１０ｃが一体に形成されており、上下方向の中間部において手掛け部１０ｃに切り欠き部３５を設け、切り欠き部３５に嵌合する形で引き手３６が障子２，３の開閉方向にスライド可能に設けてある。引き手３６は、見付け方向に延びる板状部３６ａと、板状部３６ａの内周側縁部より室内側に突出する手掛け部３６ｂとを有し、板状部３６ａを戸先框１０の中空部１０ａ内に差込み、引き手３６のスライドに連動して戸先錠１４が動作するように、動作軸１５で戸先錠１４と連係させている。障子２，３が閉鎖し、且つ戸先錠１４が施錠された状態では、図８（ａ）に示すように、引き手３６の手掛け部３６ｂが戸先框１０の手掛け部１０ｃと面一になり、引き手３６に手を掛けて障子２，３を開けようとすると、図８（ｂ）に示すように、引き手３６が戸先框１０から内周側に突出するようにスライドし、それに伴って戸先錠１４が解錠される。なお、第２実施形態では、内障子２の召し合わせ框１１には引き手を設けていないが、第１実施形態と同様に召し合わせ側引き手１９を設け、戸先側の引き手３６と召し合わせ側の引き手１９とが連動するようにすることもできる。
【００２３】
上述の第２実施形態によれば、障子２，３が閉鎖・施錠された状態で引き手３６が戸先框１０から突出しないため、引き手３６を目立たなくすることができ、意匠性をさらに向上させることができる。また、戸先錠１４が解錠されると引き手３６が戸先框１０から内周側に突出するため、障子２，３が施錠されているかどうかの確認が容易である。引き手３６は、手掛け部３６ｂが常時室内側に露出しているので、障子２，３を開ける際に特別な操作が不要であり、操作性が優れている。
【００２４】
本発明は以上に述べた実施形態に限定されない。戸先側及び召し合わせ側の引き手１３，１９，３６の形態、戸先錠１４の構造等は、適宜変更することができる。戸先側引き手１３と召し合わせ側引き手１９を繋ぐ連動部材２１ａ，２１ｂは、横框８，９の室内側に露出して設けることもできる。本発明のサッシは、引き違いサッシの他、片引きサッシ、障子が上下方向にスライドするサッシ等にも適用できる。
【符号の説明】
【００２５】
１  サッシ枠
２  内障子（障子）
３  外障子（障子）
８  上框（横框）
９  下框（横框）
１０  戸先框
１１  召し合わせ框
１３  戸先側引き手
１４  戸先錠
１９  召し合わせ側引き手
２１ａ，２１ｂ  連動部材
【図１】
0005507925.tif 000002
【図２】
0005507925.tif 000003
【図３】
0005507925.tif 000004
【図４】
0005507925.tif 000005
【図５】
0005507925.tif 000006
【図６】
0005507925.tif 000007
【図７】
0005507925.tif 000008
【図８】
0005507925.tif 000009